(57)【要約】【課題】蓋カバーによる巻筒体収納箱の蓋の開閉を容易にし、なおかつ多数回蓋を開閉しても蓋カバーが巻筒体収納箱の蓋から外れることを防止する。【解決手段】蓋カバー１は、蓋１０２の上面部１０３を覆う上板１０と、蓋１０２の前面部１０４を覆う前板１１と、蓋１０２の両側の側面部１０５を覆う一対の側板１２と、を有している。各側板１２には、当該側板１２から内側に突出し、蓋１０２の側面部１０５の下端面に係止可能な係止部２２が設けられている。前板１１には、前方に突出し、なおかつ左右方向Ｘに延びる突条部２１が形成されている。【選択図】図１
2011219170.tif 000002
【特許請求の範囲】
【請求項１】
フィルムが巻かれている巻筒体を収納する巻筒体収納箱の蓋に着脱可能な蓋カバーであって、
前記蓋の上面部を覆う上板と、
前記蓋の前面部を覆う前板と、
前記蓋の両側の側面部を覆う一対の側板と、を有し、
前記各側板には、当該側板から内側に突出し、前記蓋の側面部の下端面に係止可能な係止部が設けられている、巻筒体収納箱の蓋カバー。
【請求項２】
前記前板には、前方に突出し、左右方向に延びる突条部が形成されている、請求項１に記載の巻筒体収納箱の蓋カバー。
【請求項３】
前記突条部は、中央が凹んでいる、請求項２に記載の巻筒体収納箱の蓋カバー。
【請求項４】
前記係止部は、前記側板の前後方向に沿って形成された水平上面を有する、請求項１〜３のいずれかに記載の巻筒体収納箱の蓋カバー。
【請求項５】
前記前板の下端部には、フィルムを切断する切断刃が形成されている、請求項１〜４のいずれかに記載の巻筒体収納箱の蓋カバー。
【請求項６】
前記切断刃は、前記前板の下端部の裏面に凹凸を形成することによって形成されている、請求項５に記載の巻筒体収納箱の蓋カバー。
【請求項７】
前記前板には、蓋の切断刃を覆う刃カバーが設けられている、請求項１〜６のいずれかに記載の巻筒体収納箱の蓋カバー。
【請求項８】
前記各側板は、前記係止部より下方向に延長されている、請求項１〜７のいずれかに記載の巻筒体収納箱の蓋カバー。
【請求項９】
前記各側板は、前記巻筒体収納箱の底面より下方向に延長されている、請求項８に記載の巻筒体収納箱の蓋カバー。
【発明の詳細な説明】
【技術分野】
【０００１】
本発明は、食品包装用のラップフィルムやアルミホイル、クッキングペーパーなどのフィルムが巻かれた巻筒体を収納する巻筒体収納箱の蓋カバーに関する。
【背景技術】
【０００２】
食品包装用のラップフィルムやアルミホイル、クッキングペーパーなどのフィルムは、筒状の巻筒体に巻かれた状態で、紙製の巻筒体収納箱に収納されて使用されている（特許文献１参照）。図１０に示すように巻筒体収納箱１００は、通常全体が直方体形状に形成され、上面が開口した直方体状の容器１０１と、当該容器１０１の開口上面を塞ぐ蓋１０２を有している。蓋１０２は、上面部１０３、前面部１０４、及び長手方向の両側の側面部１０５を有し、上面部１０３の後方端辺１０３ａが容器１０１に連結されている。蓋１０２は、後方端辺１０３ａを軸に回動し、容器１０１の開口上面を開閉できる。前面部１０４の下端部には、フィルムを切断する切断刃１０６が設けられている。
【０００３】
巻筒体収納箱１００のフィルムを使用する際には、蓋１０２を開けて巻筒体１０７のフィルム１０８を必要量引き出し、蓋１０２を閉じ、フィルム１０８に張力をかけた状態で、前面部１０４の切断刃１０６によってフィルム１０８を所望の長さに切断する。
【０００４】
ところで、巻筒体１０７には、フィルム１０８が例えば５ｍ〜５０ｍ程度巻かれているため、フィルム１０８を使い終わるまでに通常はフィルム１０８の切断が多数回行われる。このため、フィルム１０８の切断の度に荷重がかかる蓋１０２の前面部１０４や上面部１０３が変形することがある。特に巻筒体収納箱１００は、台所などの湿気の多いところで使用されることが多いため、水分を吸って変形しやすい。切断刃１０６のある蓋１０２が変形すると、フィルム１０８の切断が適正に行われず、フィルム１０８が裂けたりすることがある。また、巻筒体収納箱１００に指が引っ掛かかりにくくいため、蓋１０２の開閉がし難く、蓋１０２を確実に開けずにフィルム１０８を引き出すことで切断刃１０６と接触し、フィルム１０８が裂けたり、蓋１０２を確実に閉めずにフィルム１０８を切断することでフィルム１０８が巻筒体１０７に巻き戻ったりすることがあり、使い難くなる。
【０００５】
そこで、巻筒体収納箱の蓋の変形を防止すべく、蓋を覆う蓋補強カバーが提案されている（特許文献２参照）。この蓋補強カバーは、巻筒体収納箱の蓋の表面に取り付けられ、蓋補強カバーを持って回動することにより、蓋が開閉される。この開閉の際、蓋補強カバーが巻筒体収納箱の蓋を保持している必要があるが、この保持は、蓋補強カバーの側面に舌状弾性体を形成し、この舌状弾性体をその内側の蓋の側面部に押し付けることによって行われている。
【先行技術文献】
【特許文献】
【０００６】
【特許文献１】特開２００３−１６０１４１号公報
【特許文献２】特開２００４−３５２３５６号公報
【発明の概要】
【発明が解決しようとする課題】
【０００７】
しかしながら、上述のように蓋補強カバーの舌状弾性体を蓋の側面部に押し付けて保持すると、蓋の側面部も内側の容器の側面部に押し付けられ、蓋の側面部が舌状弾性体と容器の側面部との間に挟まれて、蓋が開き難くなる。また、多数回の蓋の開閉により、舌状弾性体の押し付け力が徐々に弱くなり、蓋補強カバーが蓋から外れる恐れもある。
【０００８】
本発明は、かかる点に鑑みてなされたものであり、巻筒体収納箱の蓋の開閉を容易にし、なおかつ多数回開閉しても巻筒体収納箱の蓋から外れることを防止できる、巻筒体収納箱の蓋カバーを提供することをその目的とする。
【課題を解決するための手段】
【０００９】
上記目的を達成するための本発明は、フィルムが巻かれている巻筒体を収納する巻筒体収納箱の蓋に着脱可能な蓋カバーであって、前記蓋の上面部を覆う上板と、前記蓋の前面部を覆う前板と、前記蓋の両側の側面部を覆う一対の側板と、を有し、前記各側板には、当該側板から内側に突出し、前記蓋の側面部の下端面に係止可能な係止部が設けられている。
【００１０】
本発明によれば、蓋カバーの各側板の係止部を、蓋の側面部の下端面に係止することにより、蓋が蓋カバーに保持されるので、従来のように蓋の側面部が内側に押し付けられることがなく、蓋の開き易さを向上できる。また、多数回蓋が開閉されても蓋カバーが蓋から外れることを防止できる。
【００１１】
前記前板には、前方に突出し、左右方向に延びる突条部が形成されていてもよい。かかる場合、例えば親指を突条部に引っ掛けて蓋カバーを回動できるので、より小さな力で簡単に蓋を開閉できる。
【００１２】
前記突条部は、中央が凹んでいてもよい。かかる場合、例えば親指を突条部に引っ掛け易くなり、より簡単に蓋を開閉できる。
【００１３】
前記係止部は、前記側板の前後方向に沿って形成された水平上面を有していてもよい。かかる場合、係止部が蓋の側面部の水平の下端面に好適に係止される。
【００１４】
前記前板の下端部には、フィルムを切断する切断刃が形成されていてもよい。かかる場合、蓋カバーを、切断刃が取り付けられていない簡易的な巻筒体収納箱にも使用できる。
【００１５】
前記切断刃は、前記前板の下端部の裏面に凹凸を形成することによって形成されていてもよい。かかる場合、例えば使用時に指が切断刃に触れることを抑制できる。また、指が切断刃に触れても怪我をすることを抑制できる。
【００１６】
前記前板には、蓋の切断刃を覆う刃カバーが設けられていてもよい。かかる場合、例えば使用時に指が蓋の切断刃に触れることを防止できる。
【００１７】
前記各側板は、前記係止部より下方向に延長されていてもよい。かかる場合、巻筒体収納箱を安定して縦置き（側板を下にして立てた状態で置く）することができる。また、該各側板は、前記巻筒体収納箱の底面より下方向に延長されていてもよく、かかる場合、縦置きがより安定するとともに、横置き（上板を上にして横にした状態で置く）にした場合、巻筒体収納箱の底面が空中に浮いた状態になり、電子レンジの上などの高温になる場所に置いた場合にも内部のフィルムに熱が加わりにくく、フィルムの変質を抑制できる。
【発明の効果】
【００１８】
本発明によれば、蓋カバーによる巻筒体収納箱の蓋の開閉を容易にし、なおかつ多数回蓋を開閉しても巻筒体収納箱の蓋から蓋カバーが外れることを防止できる。
【図面の簡単な説明】
【００１９】
【図１】本実施の形態にかかる蓋カバーが巻筒体収納箱に装着された状態の斜視図である。
【図２】蓋カバーが巻筒体収納箱に装着される前の状態の斜視図である。
【図３】蓋カバーの後面図である。
【図４】蓋カバーの側板周辺の縦断面図である。
【図５】蓋カバーにより巻筒体収納箱の蓋を開放した状態を示す斜視図である。
【図６】切断刃を有する蓋カバーを示す前面図である。
【図７】前板の裏面に切断刃を有する蓋カバーを示す前面図である。
【図８】蓋カバーの前板の切断刃の凹凸を示す縦断面図である。
【図９】刃カバーを有する蓋カバーを示す斜視図である。
【図１０】巻筒体収納箱の斜視図である。
【図１１】係止部よりも下方に延長した側板を有する蓋カバーが巻筒体収納箱に装着された状態を示す蓋カバーの前面図である。
【図１２】側板を延長した蓋カバーが装着された巻筒体収納箱を縦置きにした状態を示す説明図である。
【図１３】筒巻体収納箱の底面より延長した側板を有する蓋カバーが巻筒体収納箱に装着された状態を示す蓋カバーの前面図である。
【発明を実施するための形態】
【００２０】
以下、図面を参照して、本発明の好ましい実施の形態について説明する。図１は、巻筒体収納箱１００に蓋カバー１が装着された状態を示す斜視図である。図２は、巻筒体収納箱１００に蓋カバー１が装着される前の状態を示す斜視図である。
【００２１】
蓋カバー１は、例えば図１及び図２に示すように巻筒体収納箱１００の蓋１０２に着脱自在である。蓋カバー１は、蓋１０２の上面部１０３を覆う略長方形状の上板１０と、蓋１０２の前面部１０４を覆う略長方形状の前板１１と、蓋１０２の両側の側面部１０５を覆う方形の一対の側板１２を有している。図３に示すように蓋カバー１の後面側と底面側は開口している。
【００２２】
図１及び図２に示すように上板１０の後方端辺１０ａの長手方向（左右方向Ｘ）の中央には、円弧状の切り欠き２０を形成してもよい。前板１１は、蓋１０２の切断刃１０６が露出するように蓋１０２の前面部１０４よりも上下方向の長さが短く形成されている。前板１１の左右方向Ｘの中央には、前方に突出し、なおかつ左右方向Ｘに延びる突条部２１が形成されている。突条部２１は、平面から見て波型状に形成され、左右方向Ｘの中央に凹み２１ａが形成されている。なお、この突条部２１は、前板１の中央部のみに形成されていても左右方向Ｘ全体に形成されていてもよい。突条部２１の突出長さは、例えば２０ｍｍ以下が好ましい。また、突条部２１の形状は、平面から見て円弧状、四角状等など他の形状でもよいが、波型状の場合は指への引っ掛かりが良く、力を加えやすいことから、蓋１０２の開閉をスムーズに行うことができ、より好ましい。
【００２３】
図３に示すように各側板１２の下端部には、内側に突出する係止部２２が形成されている。係止部２２は、例えば側板１２の下端部から内側に側板１２に対し直角に突出し、その上面には、水平上面２２ａが形成されている。側板１２と係止部２２とでＬ字型を形成している。蓋カバー１が蓋１０２に装着された際、図４に示すように水平上面２２ａ上に蓋１０２の側面部１０５が配置される。これにより、係止部２２が蓋１０２の側面部１０５の下端面に係止され、蓋カバー１が上方に回動されると、係止部２２が蓋１０２の側面部１０５の下端面に引っ掛かり、側面部１０５を持ち上げて蓋１０２が開放される。
【００２４】
蓋カバー１は、巻筒体収納箱１００よりも強度が高いものを用いて成型されている。蓋カバー１は、例えば適切な剛性と弾性を有する例えばプラスティック、アルミニウムなどを用いて成型される。プラスティックでは、例えばＡＢＳ、ポリスチレン、ＰＣ、アクリル樹脂、ポリプロピレン、ポリエチレン樹脂等が用いられ、その中でも剛性の高い樹脂であるＡＢＳ、ポリスチレン、ＰＣ、アクリル樹脂等がより好ましく、公知の抗菌剤を添加しても良い。また、蓋カバー１は、着色や印刷によって意匠性を持たせても、透明であってもよい。透明の場合蓋カバー１を装着した状態であっても巻筒体収納箱１００の表面の文字や絵が確認できる。
【００２５】
次に、以上のように構成された蓋カバー１の使用方法の一例について説明する。先ず、図２に示すように蓋カバー１が巻筒体収納箱１００の前方側に配置され、蓋１０２の側面部１０５の下端面の下側に蓋カバー１の係止部２２が入るように、蓋カバー１が蓋１０２に前方側から挿入されて装着される。これにより、図１に示すように蓋１０２の上面部１０３、前面部１０４及び側面部１０５が蓋カバー１により覆われた状態となる。また、蓋１０２は、係止部２２により蓋カバー１に係止されている。
【００２６】
次に、親指を突条部２１に引っ掛け手の平が切り欠き２０近辺に位置するように蓋カバー１が握られ、図５に示すように蓋カバー１を回動させて蓋１０２が開けられる。続いて、巻筒体収納箱１００内のフィルム１０８が所定量引き出される。次に、蓋カバー１により蓋１０２が閉じられ、フィルム１０８に張力をかけた状態で、切断刃１０６によってフィルム１０８が所定の長さに切断される。
【００２７】
このフィルム１０８の切断が多数回行われ、フィルム１０８が巻筒体１０７から無くなると、蓋カバー１が蓋１０２から取り外される。この際、装着時と逆方向に、蓋１０２の側面部１０５の下端面の下側から蓋カバー１の係止部２２が抜けるように、蓋カバー１が蓋１０２の前方側に引き出されて取り外される。そして、蓋カバー１が新しいフィルム１０８の入った次の巻筒体収納箱１００の蓋１０２に取り付けられる。
【００２８】
以上の実施の形態によれば、蓋カバー１の各側板１２の係止部２２を、蓋１０２の側面部１０５の下端面に係止することにより、蓋１０２が蓋カバー１に保持されるので、従来のように蓋の側面部に押し付けられることがなく、蓋１０２の開き易さを向上できる。また、多数回蓋１０２が開閉されても蓋カバー１が蓋１０２から外れることを防止できる。
【００２９】
前板１１には、前方に突出し、左右方向Ｘに延びる突条部２１が形成されているので、例えば親指を突条部２１に引っ掛けて蓋カバー１を回動できる。このため、より小さな力で簡単に蓋１０２を開閉できる。
【００３０】
突条部２１は、中央が凹んでいるので、例えば親指を突条部２１に引っ掛け易くなる。また、親指が突条部２１の中央に誘導されるので、蓋カバー１の中央を持って蓋カバー１の回動を行うことができる。よって、より小さな力で簡単に蓋１０２を開閉できる。
【００３１】
係止部２２は、側板１２の前後方向に沿って形成された水平上面２２ａを有しているので、係止部２２が蓋１０２の側面部１０５の水平の下端面に好適に係止される。また、蓋カバー１を水平方向にスライドさせ、係止部２２の水平上面２２ａを蓋１０２の側面部１０５の下端面の下に出し入れすることにより、蓋カバー１の蓋１０２に対する着脱を好適に行うことができる。
【００３２】
以上の実施の形態で記載した蓋カバー１において、図６に示すように前板１１の下端部にフィルム１０８を切断する切断刃３０が形成されていてもよい。かかる場合、前板１１は、蓋１０２の前面部１０４の下端部よりも長く形成され、フィルム１０８を蓋カバー１の切断刃３０により切断できるようにする。この例によれば、蓋カバー１を、切断刃が取り付けられていない簡易的な巻筒体収納箱にも使用することができる。
【００３３】
また、蓋カバー１の切断刃３０は、金属製の切断刃を取り付けても、図７及び図８に示すように前板１１の下端部の裏面１１ａに凹凸３０ａを形成することによって形成されていてもよい。凹凸３０ａは、前板１１の裏面１１ａの下端部に直線的に連続的に形成される。かかる場合、切断刃３０が裏面１１ａにあるので、使用時に指が切断刃３０に触れることを抑制できる。また、切断刃３０が凹凸３０ａであるので、指が触れても怪我をすることを抑制できる。
【００３４】
以上の実施の形態で記載した蓋カバー１において、図９に示すように前板１１に、蓋１０２の切断刃１０６を覆う刃カバー４０が設けられていてもよい。この刃カバー４０には、例えば可撓性のある柔軟なシート状のものが用いられ、前板１１の下端部付近に取り付けられている。通常時には切断刃１０６を覆い、フィルム１０の切断時にはフィルム１０８の引き出し角度に応じて曲がる。この例によれば、使用時に指が蓋１０２の切断刃１０６に触れることを防止できる。なお、この刃カバー４０は、シート状のものに限られず、他の構成のものであってもよい。例えば前板１１の下端部側を伸ばして、途中にヒンジ部を設けて屈曲可能にし、その屈曲部分を刃カバーとしてもよいし、前板１１の下端部付近を屈曲可能な薄さに成型して、その屈曲部分を刃カバーとしてもよい。
【００３５】
また、図１１に示すように各側板１２の下端部２３を係止部２２よりも下方向に延長して側板１２を大きくしてもよい。かかる場合、蓋カバー１を装着した際の巻筒体収納箱１００の側面側の段差が無くなり、図１２に示すように筒状体収納箱１００を安定して縦置きすることができる。これにより、キッチンの場所を取らず、狭い場所にも収納が可能になる。なお、この例では、側板１２の下端部２３と巻筒体収納箱１００の底面１１０が同じ位置になるようにしている。
【００３６】
また、図１３に示すように各側板１２の下端部２３を巻筒体収納箱１００の底面１１０よりも突出させるようにしてもよい。かかる場合、蓋カバー１を装着した巻筒体収納箱１００の縦置きがより安定するとともに、横置きにした場合、巻筒体収納箱１００の底面１１０が空中に浮いた状態になることで、電子レンジの上など高温な場所に置いた場合にも内部の巻筒体１０７に熱が加わりにくく、フィルムの変質を抑制できる。特に巻筒体収納箱１００がラップフィルム収納箱の場合、内部のラップフィルムに熱が加わりにくくなることで、熱によるラップフィルムの引出力の上昇を抑制できる。
【００３７】
以上、添付図面を参照しながら本発明の好適な実施の形態について説明したが、本発明はかかる例に限定されない。当業者であれば、特許請求の範囲に記載された思想の範疇内において、各種の変更例または修正例に想到し得ることは明らかであり、それらについても当然に本発明の技術的範囲に属するものと了解される。
【００３８】
例えば以上の実施の形態で記載した前板１１の下端部の縁形状は、直線切り用又は中央切り用のいずれの切断刃形状にも対応できるように、直線型、アーチ型（上に凸形状）、Ｖ字型（下に凸形状）でもよく、その他切断刃の形状に合わせて成型されていてもよい。
【００３９】
また、係止部２２の形状は、上記実施の形態のように水平板状に突出した形でなくてもよく、例えば水平に突出した後上方に湾曲、又は屈曲する形など他の形状であってもよい。本発明は、ラップフィルム、アルミホイル、クッキングペーパーに限られず、その他のフィルムが巻かれた巻筒体を収納する巻筒体収納箱の蓋カバーにも適用できる。
【実施例】
【００４０】
実施例及び比較例における測定方法及び評価方法は下記の通りである。
〈引出力〉
引出力は引出性の指標であり、数値が低いほど軽い力でフィルムを引き出すことができる。引出力は以下の方法により測定される。フィルム幅３０ｃｍに調整した紙管巻きラップフィルムをごくわずかな力で容易に回転するロール状治具にセットし、フィルムの端を引張試験機のロードセルに直結する幅３３０ｍｍの治具に固定する。次いで、１０００ｍｍ／分の速度でフィルムを引き出した際に発生する応力の最大値を測定する。測定は２３℃−５０％の恒温恒湿下で行われる。この測定は１０回行い、その平均値を採用する。評価基準を次のようにした。
○：１００ｃＮ未満
×：１００ｃＮ以上
【００４１】
実施例．１
サランラップ（旭化成ホームプロダクツ株式会社製：３０ｃｍ幅×２０ｍ巻き）の巻筒体収納箱に、図１３に示す側板１２の下端部２３までの長さＹが５０ｍｍの蓋カバー１を装着し、１００℃に温調した熱板の上に、側板１２の下端部２３が接触し巻筒体収納箱１００の底面１１０が接触しないようにのせ、３０分間放置後、中のラップを取り出し、２３℃−５０％の恒温恒湿下に３０分放置したのち、引出力を測定した。引出力は５０ｃＮと軽く引き出すことができた。
【産業上の利用可能性】
【００４２】
本発明は、蓋カバーによる巻筒体収納箱の蓋の開閉を容易にし、なおかつ多数回蓋を開閉しても蓋カバーが巻筒体収納箱の蓋から外れることを防止する際に有用である。
【符号の説明】
【００４３】
１  蓋カバー
１０  上板
１１  前板
１２  側板
２１  突条部
２２  係止部
１００  巻筒体収納箱
１０１  容器
１０２  蓋
１０３  上面部
１０４  前面部
１０５  側面部
１０６  切断刃
１０７  巻筒体
１０８  フィルム
Ｘ  左右方向
【図１】
2011219170.tif 000003
【図２】
2011219170.tif 000004
【図３】
2011219170.tif 000005
【図４】
2011219170.tif 000006
【図５】
2011219170.tif 000007
【図６】
2011219170.tif 000008
【図７】
2011219170.tif 000009
【図８】
2011219170.tif 000010
【図９】
2011219170.tif 000011
【図１０】
2011219170.tif 000012
【図１１】
2011219170.tif 000013
【図１２】
2011219170.tif 000014
【図１３】
2011219170.tif 000015